(57)【要約】      （修正有）【課題】長時間着座していても、疲れが出にくく集中力が維持できるような椅子を提供する。【解決手段】遊技場の椅子は、狭い所に置かれており、長時間ゲームを行うと疲れる。このロッキング機構付椅子は、中央脚柱２の上端に取り付けた支持フレーム１１に、座１と背もたれを取り付けた座フレーム１２をロッキング機構１０を介して取り付けている。ロッキング機構１０は、座フレーム１２の左右の側面に中央部が高い弧状のガイド溝１２ｂを前後方向に２個設け、ガイド溝１２ｂに係合するガイドピンを支持フレーム１１にそれぞれ固設している。なお、座フレーム１２は支持フレーム１１とコイルバネで連結し、離席時は格納位置へ自動的に格納されるようにしている。【選択図】図１
2014004324.tif 000002
【特許請求の範囲】
【請求項１】
座と背もたれを取り付けた座フレームを、中央脚柱の上端に固設した支持フレームに、前後方向に揺動できるとともに、離席時は格納位置へ自動的に格納されるように取り付けられた椅子であって、該座フレームを該支持フレームに格納戻し材で連結し、該座フレームの左右の側面に中央部が高い弧状のガイド溝を前後方向に２個設けるとともに該ガイド溝に係合するガイドピンを該支持フレームにそれぞれ固設し、または、該支持フレームの左右の側面に中央部が低い弧状のガイド溝を前後方向に２個設けるとともに該ガイド溝に係合するガイドピンを該座フレームにそれぞれ固設し、該ガイド溝は、脚に半径１０００〜３０００ｍｍの弧台を有するロッキングチェアのごとくに座を案内するように形成されたことを特徴とするロッキング機構付格納椅子。
【請求項２】
前記支持フレームまたは座フレームに設ける弧状のガイド溝は、前後に重なるように上下に配置したことを特徴とする請求項１記載のロッキング機構付格納椅子。
【請求項３】
座と背もたれを取り付けた座フレームを、中央脚柱の上端に固設した支持フレームに、前後方向に揺動できるとともに、離席時は格納位置へ自動的に格納されるように取り付けられた椅子であって、該座フレームを該支持フレームに格納戻し材で連結し、該座フレームの左右の側面に中央部が高い弧状のガイド溝を前後方向に設けるとともに該支持フレームの左右の側面に中央部が低い弧状のガイド溝を前後方向に設け、該座フレームのガイド溝に係合するガイドピンを該支持フレームにガイド溝の前端より前方に固設するとともに該支持フレームのガイド溝に係合するガイドピンを該座フレームにガイド溝の後端より後方に固設し、該ガイド溝は、脚に半径１０００〜３０００ｍｍの弧台を有するロッキングチェアのごとくに座を案内するように形成されたことを特徴とするロッキング機構付格納椅子。
【請求項４】
前記弧状のガイド溝は、脚に前部または後部では半径１０００〜１８００ｍｍで、その他の位置においては半径２０００〜３０００ｍｍの弧台を有するロッキングチェアのごとくに座を案内するように形成されたことを特徴とする請求項１または請求項３に記載のロッキング機構付格納椅子。
【請求項５】
前記座フレームまたは支持フレームのガイド溝に、合成樹脂製のガイドブッシュを固設するとともに、前記ガイドピンにローラまたは軸受を設け、前記座フレームがスムーズに移動できるようにしたことを特徴とする請求項１〜請求項４のいづれかに記載のロッキング機構付格納椅子。
【請求項６】
前記格納戻し材は、コイルバネとし、前記支持フレームにラックを付設するとともに、前記座フレームに該ラックに噛み合うピニオンを備えたロータリーダンパーを設け、座フレームが格納位置側へ移動するときには遅くなるように抵抗をもたせたことを特徴とする請求項１〜請求項５のいづれかに記載のロッキング機構付格納椅子。
【請求項７】
前記格納戻し材は、座フレームが格納位置側へ移動するときには遅くなるように抵抗をもたせたガススプリングとしたことを特徴とする請求項１〜請求項５のいずれかに記載のロッキング機構付格納椅子。
【発明の詳細な説明】
【技術分野】
【０００１】
本発明は、中央脚柱の上端に背もたれと座を前後方向に揺動できるように取り付け、離席時には座が格納位置へ自動的に格納されるようにした椅子に関するものである。
【背景技術】
【０００２】
例えば、遊技場で使用される椅子は、床に固設した中央脚柱に背もたれが一体の座を取り付けたものが一般的である。そして、横に並んだ多数の遊技台に向きあって並べられ、背中合わせに着座してゲームを行なっており、背もたれ間が通路となっている。
このため、椅子をできるだけコンパクトなものとして、離席時は、自動的に前方へ格納されるようにしている。また、長時間腰掛けてゲームを行っても疲労が少ないものが要求されており、出願人は、先にリクライニング機能を備えたものを開発している（例えば特許文献１）。
【０００３】
一方、学校などの講義場の机は、３人が横に並んで着座できる長いものが使用されており、椅子は、床に固設され、座を離席時は前方へ自動的に格納されるようにしている。机間の距離がそれほど離れていないので、真ん中の席へ着席する場合には、着座している人の背もたれの後ろを通ることになり、この場合、着座している人に前方へ移動してもらう必要がある。この前方への格納手段は、脚を平行リンクとして、前後に傾斜できるようにしたものや、上記と同様に中央脚柱の上端の座を移動させるようにしたものがある。
【０００４】
特許文献１の椅子は、支柱１の上端に支持体を受板に対して前後にスライド可能に設け、座板の裏面に固設した取付板に該受板の前部を水平な支軸で枢支し、後部を該受板と該取付板との間に圧縮バネを介在させて弾性的に傾動可能に支持している。
【先行技術文献】
【特許文献】
【０００５】
【特許文献１】実用新案登録第３００４４９５号公報
【発明の開示】
【発明が解決しようとする課題】
【０００６】
上記の特許文献１の遊技場用の椅子は、座板が後方スライド状態において、疲れた時などに背もたれに強くもたれることで、座板が後傾しリクライニング状態にできる。
しかしながら、このような椅子を遊戯場に使用した場合は、リクライニング状態のときは後ろへかなり倒れるので、通路を狭めることになる。また、リクライニング状態にすると遊戯機との距離が離れて、ハンドルに手が届かないことになるので、ゲーム中にはリクライニング状態がとれない。
【０００７】
中央脚柱を備えた椅子は、脚が床に固設されているので、休息のために着座している場合はまだしも、作業を行う場合には、身体の移動が少ないので、長時間着座していると疲れ易く、集中力を維持することが難しい。
例えば、遊技場では、狭い所で一定の姿勢で着座してゲームを行っており、時間が経つに従い、知らず知らずのうちに姿勢を入れ替える動作が見られる。また、講義用の椅子でも、狭い所で一定の姿勢で着座して講義を聴講しているので、時間が経つに従い同様の動作が見られる。このような状況になった場合は、リクライニング機構だけでは、解決できない。
【０００８】
そこで、本発明は、長時間着座していても、疲れが出にくく集中力が維持できるような椅子を提供することを目的としている。
【課題を解決するための手段】
【０００９】
上記の目的を解決するため、請求項１の発明の椅子は、次のように構成した。
すなわち、座と背もたれを取り付けた座フレームを、中央脚柱の上端に固設した支持フレームに、前後方向に揺動できるとともに、離席時は格納位置へ自動的に格納されるように取り付けられた椅子であって、該座フレームを該支持フレームに格納戻し材で連結し、該座フレームの左右の側面に中央部が高い弧状のガイド溝を前後方向に２個設けるとともに該ガイド溝に係合するガイドピンを該支持フレームにそれぞれ固設し、または、該支持フレームの左右の側面に中央部が低い弧状のガイド溝を前後方向に２個設けるとともに該ガイド溝に係合するガイドピンを該座フレームにそれぞれ固設し、該ガイド溝は、脚に半径１０００〜３０００ｍｍの弧台を有するロッキングチェアのごとくに座を案内するように形成されたことを特徴としている。
【００１０】
発明者等は、遊技場において、長時間ゲームを行なっても疲れにくく、集中力が持続できる椅子を開発すべく、種々の椅子を試作して実験した。その結果この開発目的を満たすものとして、脚の下端に弧台を備え、着座者が身体の重心を前後させることにより、弧台を転動させて揺り動かすロッキングチェアのような動きを持たせるのが、極めて有効であるとの結論を得た。
これは、ゲームをしながら、着座者が軽く重心を移動させるだけで座面が傾斜しつつ揺れるようにすることで、体圧が分散され、姿勢を入れ替える以上の効果があり、自ら動くので開放感もあるといったことからきていると考えられる。
そこで、本発明は、床に固設した中央脚柱脚を備えた椅子において、あたかも、下端に弧台を備えたロッキングチェアのような動きができる椅子にすることを念頭に置いて構成したものである。
【００１１】
この椅子は、遊技場の椅子に限らず、講義用や会議場など中央脚柱を備え、離席時には格納位置へ格納される椅子に適用できる。
ここで、前部、前方、という用語は、着座者の向いている方を指すこととして使用している。
中央脚柱は、床に固設されたもので、その構成については、特に限定しないが、座の高さを変えることができ、また、座を回動できるようにしたものがよい。
座は背もたれと一体としたコンパクトなものにするのがよいが、別体として、座は直接座フレームへ固設し、背もたれはバネを介して傾動可能に座フレームへ取り付けるようにしてもよい。
【００１２】
ロッキングチェアのような動きをする機構は、中央脚柱の上端に取り付けた支持フレームに対して、背もたれと座が取り付けられた座フレームを所定の揺動ができるように取り付けたものである。
この機構は、座フレーム側に中央部が高い弧状のガイド溝を前後方向に２個設けて、これに係合するガイドピンを支持フレームにそれぞれ固設する。または、逆に、支持フレーム側に中央部が低い弧状のガイド溝を前後方向に２個設けて、これに係合するガイドピンを座フレームにそれぞれ固設してもよい。
なお、ガイドピンは左右のガイド溝へ挿通させた棒状のものとしてもよいし、ガイド溝ごとに係合する溝幅のものとしてもよい。
【００１３】
ガイド溝は、ロッキングチェアの脚の下端に付設される弧台を想定し（以下仮想弧台という）て決める。仮想弧台の半径は、用途（遊技場、講義用など）、座の取付部の大きさの制限、座面の移動量、座面の角度変化の規制、動き易い方が良いか、動きにくくても安定している方が良いかといったことを勘案して１０００〜３０００ｍｍの適宜なものを選定する。
仮想弧台の半径を３０００ｍｍより大きくすると座が水平移動に近い動きになり、ロッキングの感覚が薄れ、重心の移動を大きくしなければならない。また、仮想弧台の半径を１０００ｍｍより小さくすると少しの重心移動で座面角度が大きく変化しガタついた動きになり易い。なお、仮想弧台の半径は、一定でもよいが、２〜３種類の半径を複合してもよい。また、漸次変化するものでもよい。
【００１４】
一般に仮想弧台の半径を大きなものとすると、重心の移動量を大きくする必要があり、動きにくくなる。また、前方に格納された椅子に着座するときは、背もたれを後方へ引くことになるが、引きづらい場合が生じる。このようなことを解消するため、座の前端部または後端部付近では仮想弧台の半径を小さくするとよい。
仮想弧台の半径を複合する場合、特に限定はしないが、請求項４に記載のように、座の前端部または後端部付近では１０００〜１８００ｍｍで、その他の区間では２０００〜３０００ｍｍとするのが望ましい。
仮想弧台の位置は、脚の下端の接地面とは限らず、任意に選定できる。座面の位置は仮想弧台からの距離が小さいほど前後移動量は少なくなり、重心移動は小さくても動き易くなる。逆に、座面位置が仮想弧台からの距離を大きくすると同じ角度変化でも前後移動量は大きくなり、重心移動は大きくなる。
【００１５】
座の移動距離は、格納状態時の位置を考慮して決める。離席時における座の格納は、通常、遊技場用の椅子では背もたれを前方へ１００〜１５０ｍｍ移動させて通路となる背もたれ間を拡げることが要求される。また、講義用の椅子では後部の机との間を通れるように、背もたれを１８０〜２２０ｍｍ程度前方へ移動可能であることが要求されている。
前後の移動量が大きい場合は、仮想弧台の半径を大きくすることにより座面角度変化を小さくできる。
座の移動距離がさほど大きくない場合は、座フレーム（または支持フレーム）に設けられる２個のガイド溝は、前後方向にスペースを設けて配置できるが、移動距離が大きくなると、座フレーム（または支持フレーム）の前後方向の長さが大きくなり、大型化しバランスも悪いものとなる。このような場合は、請求項２に記載のように、２個のガイド溝を前後に重なるように上下に配置すれば、前後方向の長さを短くすることができる。
【００１６】
しかし、ガイド溝を上下に配置した場合は、座フレーム（または支持フレーム）の高さが大きくなるという難点がある。コンパクトにしたい場合は、ガイド溝を座フレームと支持フレームの両方に設けるとよい。すなわち、請求項３に記載のように、座フレームの左右の側面に中央部が高い弧状のガイド溝を前後方向に設けるとともに該支持フレームの左右の側面に中央部が低い弧状のガイド溝を前後方向に設け、該座フレームのガイド溝に係合するガイドピンを該支持フレームにガイド溝の前端より前方に固設するとともに該支持フレームのガイド溝に係合するガイドピンを該座フレームにガイド溝の後端より後方に固設する。
【００１７】
ガイド溝は、着座者の体重がかかったピンが常時係合することになるので、請求項５に記載のように、座フレームまたは支持フレームのガイド溝に、合成樹脂製のガイドブッシュを固設し、ピンの部分にはローラまたは軸受を設けて転動させるのが望ましい。
【００１８】
離席時に座を格納位置へ自動的に移動させる手段は、座フレームを支持フレームに格納戻し材で連結する。この格納戻し材は、コイルバネを用いるのが簡便である。
ただし、コイルバネを用いた場合には、ロッキング時に格納する側への移動が速くなるので、請求項６に記載のように、支持フレームにラックを付設するとともに、座フレームに該ラックに噛み合うピニオンを備えたロータリーダンパーを設け、座フレームが格納位置側へ移動するときには遅くなるように抵抗をもたせるようにするとよい。
あるいは、請求項７に記載のように、請求項６に記載のロータリーダンパーと戻しバネに替えて、座フレームが格納位置側へ移動するときには遅くなるように抵抗をもたせたガススプリングを座フレームと支持フレーム間に設けてもよい。
【００１９】
なお、座の格納位置は、一般的には前方であるが、本発明は、前方のみに限定するものではない。後方へ格納して着座して前方へ移動させて使用する場合にも適用できる。
例えば、遊技場でも広いスペースを備え、ゆったりした雰囲気でゲームを楽しむことを特徴とする所もある。この場合は、離席時は、着座しやすいように椅子を後方へ格納しておき、着座してから、前進させてゲームのしやすい好みの位置へ移動させるようにする。また、会議場の椅子においても中央脚柱を床に固設したものがあるが、この椅子においても前方へ格納するものばかりでなく、後方へ格納するようにしたものがある。
【発明の効果】
【００２０】
本発明のロッキング機構付格納椅子は、座フレームを支持フレームに格納戻し材で連結し、座フレームの左右の側面に中央部が高い弧状のガイド溝を前後方向に２個設けるとともに該ガイド溝に係合するガイドピンを該支持フレームにそれぞれ固設し、該ガイド溝は、脚に半径１０００〜３０００ｍｍの弧台を有するロッキングチェアのごとくに座を案内するように形成されているので、床に固設した中央脚柱の椅子でありながら、あたかも、脚の下端に弧台を備えたロッキングチェアの如き動きが得られ、適宜ロッキングすることにより、疲れにくく、集中力を維持することができる。
【００２１】
また、請求項３に記載のように、座フレームの左右の側面に中央部が高い弧状のガイド溝を前後方向に設けるとともに該支持フレームの左右の側面に中央部が低い弧状のガイド溝を前後方向に設け、該座フレームのガイド溝に係合するガイドピンを該支持フレームにガイド溝の前端より前方に固設するとともに該支持フレームのガイド溝に係合するガイドピンを該座フレームにガイド溝の後端より後方に固設すれば、座の移動距離が大きくてもロッキング機構をコンパクトにできる。
【００２２】
請求項５に記載のように、座フレームまたは支持フレームのガイド溝に、合成樹脂製のガイドブッシュを固設し、前記ガイドピンにローラまたは軸受を設ければ、座フレームがスムーズに移動でき、耐久性もよい。
また、請求項６に記載のように、格納戻し材は、コイルバネとし、支持フレームにラックを付設するとともに、座フレームに該ラックに噛み合うピニオンを備えたロータリーダンパーを設け、座フレームが格納位置側へ移動するときには遅くなるように抵抗をもたせれば、ロッキングを行うとき格納位置方向側への移動速度が抑制されるので、程よい動きを実現できる。
また、請求項７に記載のように、ロータリーダンパーと戻しバネに替えて、座フレームが格納位置側へ移動するときには遅くなるように抵抗をもたせたガススプリングを座フレームと支持フレーム間に設けても同様の効果が得られる。
なお、ガイド溝が弧状であるので、着座時に格納位置から座を引き出す場合、従来の水平の場合と異なり、移動させ易いものとなった。
【図面の簡単な説明】
【００２３】
【図１】本発明のロッキング機構付格納椅子を遊技場で使用した実施の形態を示す側面図である。
【図２】同、図１のＡ矢視図である。
【図３】同、ロッキング機構の部品の展開斜視図である。
【図４】同、前傾したときの状態を示す側面図である。
【図５】同、後傾したときの状態を示す側面図である。
【図６】同、仮想弧台の半径が１０００ｍｍと２０００ｍｍの複合されたものである場合の作動の状態を示す側面図である。
【図７】同、仮想弧台の半径が１０００ｍｍと２５００ｍｍの複合されたものである場合の作動の状態を示す側面図である。
【図８】同、ロータリーダンパー２０の詳細を示す正面図である。
【図９】同、座と背もたれが一体でない場合の椅子の全体を示す側面図である。
【図１０】同、支持フレーム側にガイド溝を設けた場合の側面図である。
【図１１】同、ガススプリングを付設した場合の詳細を示す正面図である。
【図１２】同、本発明のロッキング機構付格納椅子を講義用として使用した実施の形態を示す側面図である。
【図１３】同、前傾したときの状態を示す側面図である。
【図１４】同、後傾したときの状態を示す側面図である。
【図１５】同、仮想弧台の半径が１０００ｍｍと３０００ｍｍの複合されたものである場合の作動の状態を示す側面図である。
【図１６】同、ガイド溝を座フレームと支持フレームにそれぞれ設けた場合の側面図である。
【図１７】同、ロッキング機構の側面図で、（ａ）は座フレームが格納位置にあるときの状態、（ｂ）は座フレームが最後部へ移動したときの状態を示す。
【図１８】同、図１６のロッキング機構の部品の展開斜視図である。
【発明を実施するための形態】
【００２４】
本発明のロッキング機構付格納椅子の実施の形態を、遊技場用の椅子として適用した例で、説明する。
図１は、本発明の椅子が遊技場に設置されている場合の状態を示す側面図であり、図２は、図１のＡ視図で、図３はその構成部品を示す分解斜視図である。
【００２５】
この椅子は、床に固設された中央脚柱脚２の上端にロッキング機構１０を介して背もたれと一体の座１が取り付けられている。
中央脚柱２は、ガスシリンダーを内装しており、座１は回動自在に取り付けられ、また、座１の高さも調節可能であり、脚台２ａを介して床に固設されている。
座１は、座部１ａと背もたれ部１ｂが一体であり、ここでは、合成樹脂で一体成型したものを使用している。
【００２６】
ロッキング機構１０は、中央脚柱２の上端に固設した支持フレーム１１に、座１の裏面にブラケット１ｃを介して固設した座フレーム１２を、前後へ所定の動きができるように取り付けたものである。
【００２７】
支持フレーム１１は、中央脚柱２の上端に固設したブラケット１１ａと、その上に固設した上方が開放されたコ状のフレーム体１１ｂからなり、上部の前後２ヶ所にはガイドピン１４がそれぞれ固設されている。なお、１４ａはカラーである。また、下部の前部にはバネ受け１８が固設されている。
【００２８】
また、前部には中央脚柱２の高さを増減させるための昇降レバー２３を支持するためのブラケット２３ｂが固設されている。昇降レバー２３は後端側に当接杆２３ａが形成され、ブラケット２３ｂにピン２３ｃで回動可能に取り付けられている。
昇降レバー２３を操作すれば、当接杆２３ａが中央脚柱２の上端のスイッチ（図示してない）を押すこととなり、中央脚柱２を昇降させることができる。
【００２９】
座フレーム１２は、伏コ字状に形成され、支持フレーム１１に上から嵌着されている。なお、上端面は座１の裏面に取り付けたブラケット１ｃにボルトで固設される。
そして、座フレーム１２の側面には、前後２ヶ所にガイド溝１２ｂ、１２ｃが設けられ、合成樹脂製のガイドブッシュ１３がこれに嵌合してネジ止めされている。
【００３０】
ガイドブッシュ１３には前記支持フレーム１１に固設されたガイドピン１４の先端部に取り付けられたローラ１５が係合しており、座フレーム１２が前後へ移動するたびに転動する。このローラ１５は、内輪がガイドピン１４に固設され、外輪がガイドブッシュ１３の溝部を転動するように構成されたものである。
【００３１】
また、ガイド溝１２ｂ，１２ｃは、仮想弧台の半径を２０００ｍｍとした場合の座フレーム１２の移動に相当するように中央部が高い弧状に形成されている。参考までにガイド溝１２ｂ、１２ｃの具体的な寸法を示すと、ガイド溝１２ｂ、１２ｃの弧の半径は１００ｍｍ、前後の移動距離（水平距離）は６３．４ｍｍである。なお、背もたれ１ｂの移動距離は１４３ｍｍである。
【００３２】
座フレーム１２は、離席時に前方へ格納されるように、座フレーム１２の後端側下方に設けたバネ受け１６にコイルバネ１７の一端が係止され、他端を支持フレーム１１の前端下方に固設したバネ受け１８に係止されている。
また、側面の一端側（椅子の前方から見て右側）には、ロータリーダンパー２０が設けられている。これは、図８に示すように、支持フレーム１１に固設されたラック２２と、座フレーム１２に固設された該ラック２２に噛み合うピニオンが付設されたピニオン付本体２１とからなっている。このロータリーダンパー２０は、油圧を利用した回転型のスピードコントローラであり、ピニオンが回転することによりオイルの粘性抵抗により制動力が作用するようにしたものである。
【００３３】
このように構成されているので、椅子に着座していないときは、格納戻し材であるコイルバネ１７によって、座フレーム１２が格納位置である前方へ移動しており、遊技台８に向けて前傾（約７度）した状態に保持されている（図４参照）。このとき、ガイドピン１４は、それぞれ、ガイド溝１２ｂ、１２ｃの後端に位置するようにガイドブッシュ１３に係合している。
【００３４】
着座する場合は、まず、座１の背もたれ部１ｂに手を掛けて後方（遊技台８から離れる方向）へ引く。これにより座フレーム１２は、コイルバネ１７に抗して、座１が後方へ移動するので、座１を９０度回動させ、横向きになって着座する。そして、そのまま、座１を遊技台８の方へ向くように回動させればよい。
【００３５】
遊技を行なっているときは、同じ姿勢で着座していると疲れてくるので、適宜に前後へロッキングさせる。すなわち、着座した状態で、自ら前後へ座１を移動させることによって、支持フレーム１１の２本のガイドピン１４に固設されたローラ１５がガイド溝１２ｂ、１２ｃのガイドブッシュ１３内をその形状に案内されて転動し、座１が傾斜しながら前後へ移動する。
また、ロータリーダンパー２０が設けられているので、コイルバネ１７があっても、前方への移動が遅くなり、適宜な動きを実現できる。
ロッキング動作により、座１が半径２０００ｍｍの仮想弧台が転動したかのごとくに揺動するので、集中力を高め、疲労を軽減させることができる。なお、図１において、Ｆは、前傾したときの弧台の半径の中心を示し、Ｒは、後傾したときの弧台の半径の中心を示している。また、図５は、後傾した時の椅子の状態を示す。
【００３６】
離席する場合は、座フレーム１２を後方へ移動させた状態のまま、左右いずれかへ９０度回転させて、座１から降りるだけでよい。
椅子から離れると、座１が前方へ向くように中央脚柱２が回転し、座フレーム１２は戻しバネ１７によって前方へ移動し、格納姿勢となる。
【００３７】
次に、遊技場用の椅子の別の実施の形態について、図６〜図１１を基に説明する。
遊技場用の椅子では、格納のために背もたれの移動量を一般に１００〜１５０ｍｍ必要とされるが、ロッキングの仮想弧台の半径としては、１０００〜２５００ｍｍ、座面の高さは仮想弧台から３５０〜６００ｍｍが実用的である。なお、遊技場によって、格納時の前方への移動を大きくする必要のある場合は、前端側のある範囲は、ロッキング動作は行われず、収納のみのために移動するようにしてもよい。
【００３８】
図６は、仮想弧台の半径が一律に２０００ｍｍではなく、ロッキングの移動ストロークの前端部と後端部を１０００ｍｍとしたものである。また、図７は、仮想弧台の半径が２５００ｍｍでロッキングの移動ストロークの前端部と後端部を１０００ｍｍとしたものである。
このように、構成することにより、遊技者は、移動の前部と後部においてより動き易い感じがあり、よりよいロッキングができる。また、着座時に背もたれ１ｂを後方へスムーズに引くことができる。
【００３９】
図９は、背もたれを座と一体としない場合の実施の形態を示すものである。
座は、座部５と背もたれ部６とからなり、座部５は座フレームに固設され、背もたれ部６は座部５に圧縮ばね（図示してない）を介して取り付けられている。
このように、構成されているので、ロッキングによる座の傾斜に加えて、背もたれを傾動させることができるので、より疲れにくいものにできる。また、ゲームを中断してリクライニングすることも可能である。
【００４０】
図１０は、ロッキング機構の別の実施の形態である。上記の実施の形態との相違点は、ガイド溝を支持フレーム側に設け、これに係合するガイドピンを座フレーム側に固設した点である。
すなわち、中央脚柱２の上端に支持フレーム４１が固設され、そのフレーム体４１ａの側面には前後に２個のガイド溝４１ｂが形成され、これに合成樹脂製のガイドブッシュ４３が取り付けられている。そして、座１に固設した座フレーム４２に、ガイド溝４１ｂに係合するガイドピン４４を固設している。なお、ガイド溝４１ｂは、上記の場合と異なり、中央部が低くなるように形成されている。このように、構成されているので、上記のロッキング機構とほぼ、同じロッキング動作が行える。
【００４１】
図１１は、ロッキングで前方への移動に抵抗を与えるための手段の、別の実施の形態である。
これは、上記の、実施の形態におけるコイルバネ１７とロータリーダンパー２０に替えて、ガススプリング２５を使用したものである。ガススプリング２５の一端は、バネ受け１６に係止し、他端をバネ受け１８に係止する。
このガススプリング２５は、伸長するときに抵抗が付与され、ゆっくり伸びるようにしたものを使用しており、上記のロータリーダンパー２０を使用した場合と同様に機能する。
【００４２】
次に、本発明のロッキング機構付格納椅子の実施の形態として、学校などの講義用の椅子に適用したものを、図１２〜図１４に基づいて説明する。なお、図において、上記の実施の形態の構成要素と同じ部材は同一の符号を用いている。
図１２は、長机３８が一定間隔で配置され、その間に床に固設された中央脚柱２の椅子が（図示してないが３脚）横並びに置かれている。
【００４３】
この椅子は、上記の遊技場用の椅子に比べ、座１の前後への移動距離を大きくしている。すなわち、講義用の椅子においては、両端の椅子に着席されていて、３脚の真ん中の席へ着席する場合、椅子の背部を通る必要があり、着座したまま１２０〜２００ｍｍほど、座１を前方へ移動しなければならない。なお、座１および中央脚柱２は、上記の遊技場用椅子と同じであり、ロッキング機構も基本的には同様であるが、移動距離が長いので、形状がかなり異なったものとなる。
【００４４】
ロッキング機構３０は、上記の場合と同様、中央脚柱２の上端に固設した支持フレーム３１に、座１の裏面に固設した座フレーム３２を前後へ円弧状に揺動可能に取り付けられている。支持フレーム３１の前端側のガイドピン１４は中央脚柱２の中心から大きく突出している。座フレーム３２の側面には、上記の場合と同様に前後にガイド溝３２ｂ、３２ｃが設けられ、これに嵌合する合成樹脂製のガイドブッシュ３３が設けられている。また、ガイドピン１４の先端部にはローラ１５が設けられている（図１３参照）。
【００４５】
ガイド溝３２ｂ，３２ｃは、仮想弧台の半径が３０００ｍｍとした場合の座フレーム３２の移動に相当するように中央部が高い弧状に形成されており、具体的な寸法は、ここでは、前側の半径が１４４ｍｍ、後側が１３０ｍｍで、前後の移動距離は１２３ｍｍとしている。
前後の移動距離が大きいので、ガイド溝３２ｂとガイド溝３２ｃは上下に配置して、座フレーム３２の前後方向の長さを短くしている。
また、ロッキングで前方への移動に抵抗を与えるための手段は、ここでは、ガススプリング３５を使用している。
【００４６】
このように構成されているので、椅子に着座していないときは、座フレーム３２がガススプリング３５によって前方へ移動し、座１は机３８に向けて前傾した状態の格納姿勢に保持されている（図１３参照）。なお、このとき、ガイドピン１４は、ガイド溝３２ｂ、３２ｃの後端に位置する。
【００４７】
着座する場合は、まず、座１の背もたれ部１ｂに手を掛けて後方（机３８から離れる方向）へ引く。これにより座フレーム３２はわりと軽く後傾し、座１が後方へ移動するので、楽に着座することができる。なお、講義用の場合は、座１を回転させる必要性は少ないので、ここでは、中央脚柱２を回転できないようにしたものを使用している。
【００４８】
講義では、講師の話や黒板を見ているときは、ゆったりと背もたれ部１ｂにもたれ、やや後傾（例えば３度）させた状態（図１４参照）で着座し、ノートに筆記するときは、前方へ若干移動させて前傾姿勢で、行うとよい。そして、時々、ロッキングすれば、疲れず集中力が高められる。
【００４９】
空席の隣へ着席する人が見えたときは、着座したまま身体を座フレーム３２とともに前方へ移動させる。これにより、背もたれ部１ｂの後方に空きができるので、背部を通ることができ、隣へ着席することができる。
【００５０】
離席する場合は、座フレーム３２を後方へ移動させた状態のまま、左右いずれかから、降りるだけでよい。椅子から離れると、座フレーム３２はガススプリング３５によって、自動的に前方へ移動し、格納姿勢となる。
【００５１】
次に、講義用の椅子の別の実施の形態について図１５〜図１８に基づいて説明する。
講義用の椅子では、格納のために背もたれの移動量を一般に１８０〜２２０ｍｍ必要とされるが、ロッキングの仮想弧台の半径としては、２０００〜３０００ｍｍ、座面の高さは仮想弧台から５００〜９００ｍｍが実用的である。
図１５は、仮想弧台の半径が一律に３０００ｍｍではなく、ロッキングの移動ストロークの前端部と後端部を１０００ｍｍとしたものである。なお、この実施の形態では、座１にクッションを付設し、仮想弧台の半径から８６２ｍｍの高さ位置に着座するようにしている。
このように、複合したものとすることにより、遊技者は、移動の前部と後部において、より動き易い感じがあり、よりよいロッキングができる。
【００５２】
図１６は、別のロッキング機構を示す実施の形態である。上記の実施の形態との相違は、ガイド溝を座フレームと支持フレームの両者に設けてコンパクトにした点である。
すなわち、ロッキング機構５０は、中央脚柱２の上端に支持フレーム５１が固設され、その側面には前後に中央部が低い弧状のガイド溝５１ｂが形成され、座フレーム５２に、中央部が高い弧状のガイド溝５２ｂが形成されている。ガイド溝５１ｂ、５２ｂにはガイドブッシュ５３ｂ、５３ａが取り付けられている。そして、ガイド溝５１ｂのガイドブッシュ５３ｂに係合するローラ５４が座フレーム５２に設けられ、ガイド溝５２ｂのガイドブッシュ５３ａに係合する軸受５５が支持フレーム５１に設けられている。
【００５３】
さらに、ロッキング機構５０を図１８の展開図に基づいて説明する。
支持フレーム５１は、コ状のフレーム体５１ａの前部の上部に軸受取付孔５１ｃが設けられ、側面に中央部が低い弧状のガイド溝５１ｂが形成され、これにガイドブッシュ５３ｂが取り付けられている。そして、後部にはガススプリング５７の一端を取り付けるための取付材５１ｄが固設されている。
また、座フレーム５２は、支持フレーム５１を上から嵌着できる大きさで、伏コ字状に形成され、フレーム体５２ａの側面には、中央部が高い弧状のガイド溝５２ｂが設けられ、これにガイドブッシュ５３ａが取り付けられている。そして、その後部にローラ取付孔５２ｃが設けられ、また、前部中央にはガススプリング５７の他端を取り付けるための取付材５２ｄが固設されている。
【００５４】
そして、座フレーム５２のローラ取付孔５２ｃに取り付けられたローラ５４が支持フレーム５１のガイド溝５１ｂのガイドブッシュ５３ｂに係合するとともに、支持フレーム５１の軸受取付孔５１ｃに取り付けられた軸受５５が座フレーム５２のガイド溝５２ｂのガイドブッシュ５３ａに係合している。
なお、ローラ５４は、ローラ体５４ａと、カラー５４ｂと、ボルト５４ｃとからなり、また、軸受５５は、ベアリング５５ａと、スペーサ５５ｂと、ボルト５５ｃとから構成されている。
【００５５】
このように構成されているので、着座者がロッキングを行うとローラ５４と軸受５５がそれぞれガイド溝５１ｂ、５２ｂに取り付けられたガイドブッシュ５３ｂ、５３ａ内を転動し、座フレーム５２が前後へ移動する。
そして、座フレーム５２が前方の格納位置にあるときは、図１７（ａ）に示すように、支持フレーム５１に取り付けられている軸受５５は、座フレーム５２のガイド溝５２ｂの最後部に位置するようにガイドブッシュ５３ａに係合し、座フレーム５２に取り付けられているローラ５４は、支持フレーム５１のガイド溝５１ｂの最前部に位置するようにガイドブッシュ５３ｂに係合する。
また、ロッキングで座１を後方へ移動させたときは、図１７（ｂ）に示すように、軸受５５は、座フレーム５２のガイド溝５２ｂの最前部に位置するようにガイドブッシュ５３ａに係合し、ローラ５４は、支持フレーム５１のガイド溝５１ｂの最後部に位置するようにガイドブッシュ５３ｂに係合する。
【００５６】
なお、この実施の形態では、ガイド溝５１ｂ、５２ｂとローラ５４、軸受５５とは、仮想弧台の半径を３０００ｍｍとした場合の座フレーム５２の移動に相当するように形成および位置が決められている。このように、構成されているので、上記のロッキング機構とほぼ、同じロッキング動作が行える。
【００５７】
本発明のロッキング機構付椅子は、例えば、テーブルと椅子が固定配置された会議室などでも、使用できる。
なお、上記の実施形態の説明では、具体的な寸法を示して説明したが、発明をより理解しやすいようにするためであって、これに限定するものでないことはいうまでもない。
【符号の説明】
【００５８】
１  座
１ａ  座部
１ｂ  背もたれ部
１ｃ  ブラケット
２  中央脚柱
２ａ  脚台
５  座部
６  背もたれ部
８  遊技台
１０  ロッキング機構
１１  支持フレーム
１１ａ  ブラケット
１１ｂ  フレーム体
１２  座フレーム
１２ａ  フレーム体
１２ｂ  ガイド溝
１２ｃ  ガイド溝
１３  ガイドブッシュ
１４  ガイドピン
１４ａ  カラー
１５  ローラ
１６  バネ受け
１７  コイルバネ（格納戻し材）
１８  バネ受け
２０  ロータリーダンパー
２１  ピニオン付本体
２２  ラック
２３  昇降レバー
２３ａ  当接杆
２３ｂ  ブラケット
２３ｃ  ピン
２５  ガススプリング（格納戻し材）
３０  ロッキング機構
３１  支持フレーム
３２  座フレーム
３２ｂ  ガイド溝
３２ｃ  ガイド溝
３５  ガススプリング
３８  机
４１  支持フレーム
４１ａ  フレーム体
４１ｂ  ガイド溝
４２  座フレーム
４３  ガイドブッシュ
４４  ガイドピン
５０  ロッキング機構
５１  支持フレーム
５１ａ  フレーム体
５１ｂ  ガイド溝
５１ｃ  ローラ取付孔
５１ｄ  取付材
５２  座フレーム
５２ａ  フレーム体
５２ｂ  ガイド溝
５２ｃ  ローラ取付孔
５２ｄ  取付材
５３ａ  ガイドブッシュ
５３ｂ  ガイドブッシュ
５４  ローラ
５４ａ  ローラ体
５４ｂ  カラー
５４ｃ  ボルト
５５  軸受
５５ａ  ベアリング
５５ｂ  スペーサ
５５ｃ  ボルト
５７  ガススプリング
【図１】
2014004324.tif 000003
【図２】
2014004324.tif 000004
【図３】
2014004324.tif 000005
【図４】
2014004324.tif 000006
【図５】
2014004324.tif 000007
【図６】
2014004324.tif 000008
【図７】
2014004324.tif 000009
【図８】
2014004324.tif 000010
【図９】
2014004324.tif 000011
【図１０】
2014004324.tif 000012
【図１１】
2014004324.tif 000013
【図１２】
2014004324.tif 000014
【図１３】
2014004324.tif 000015
【図１４】
2014004324.tif 000016
【図１５】
2014004324.tif 000017
【図１６】
2014004324.tif 000018
【図１７】
2014004324.tif 000019
【図１８】
2014004324.tif 000020